(57)【特許請求の範囲】
【請求項１】
ガイド本体と、このガイド本体とはガイド本体における上記圧延材の移動方向の一側端部に連設しているデスケーリング体と、このデスケーリング体とガイド本体とを分離可能に連結固定している連結固定手段と、連設しているガイド本体及びデスケーリング体の各軸心を貫通している圧延材のガイド孔とを具備しており、
上記ガイド本体は、軸心に上記ガイド孔の一部を構成しているガイド孔部を設けており、
上記デスケーリング体は、軸心部に設けている環状部と、この環状部の外側と外周部との間に環状部を囲むように設けている空間部と、上記外周部に設けている上記空間部内に除去水を供給するための除去水供給口とを備えており、
上記環状部は、軸心に上記ガイド孔の一部を構成しているガイド孔部を設けており、
上記空間部は、上記ガイド本体の一側端部との間で除去水供給室を形成しており、
上記環状部の一端部は、上記ガイド本体の一側端部との間で対向しかつこの対向端部間でスリットノズルを形成しており、
上記スリットノズルは、上記ガイド孔を挿通する上記圧延材を囲むように設けられており、
上記ガイド本体とデスケーリング体との対向間にスリットノズルの開口幅を調整するための調整板を配置してある
ことを特徴とする圧延材のデスケーリングガイド。
【請求項２】
ガイド本体と、このガイド本体とはガイド本体における上記圧延材の移動方向の一側端部に連設している複数のデスケーリング体と、これらのデスケーリング体とガイド本体とを分離可能に連結固定している連結固定手段と、連設しているガイド本体及びデスケーリング体の各軸心を貫通している圧延材のガイド孔とを具備しており、
上記ガイド本体は、軸心に上記ガイド孔の一部を構成しているガイド孔部を設けており、
上記各デスケーリング体は、軸心部に設けている環状部と、この環状部の外側と外周部との間に環状部を囲むように設けている空間部と、上記外周部に設けている上記空間部内に除去水を供給するための除去水供給口とを備えており、
上記環状部は、軸心に上記ガイド孔の一部を構成しているガイド孔部を設けており、
上記デスケーリング体のうち、互いに対向しているデスケーリング体は、一方のデスケーリング体の環状部の一端部が、他方のデスケーリング体の対向端部との間でスリットノズルを形成しており、上記ガイド本体とに対向しているデスケーリング体は、その環状部の一端部が、上記ガイド本体の対向端部との間でスリットノズルを形成しており、
上記各スリットノズルは、上記ガイド孔を挿通する上記圧延材を囲むように設けられており、
上記ガイド本体の一側で対向する上記デスケーリング体の空間部は、上記ガイド本体の一側端部との間で除去水供給室を形成しており、
上記デスケーリング体の一側で対向する上記デスケーリング体の空間部は、上記デスケーリング体の一側端部との間で除去水供給室を形成している
ことを特徴とする圧延材のデスケーリングガイド。
【請求項３】
対向するガイド本体とデスケーリング体との間に、互いに対向するデスケーリング体間にそれぞれスリットノズルの開口幅を調整するための調整板を配置してあることを特徴とする請求項２記載の圧延材のデスケーリングガイド。
【請求項４】
ガイドボックスに支持軸を中心として一対のローラホルダーを開閉可能に設けてあり、
一対のローラホルダーの一端部側にガイドローラを回転自在に設けてあり、
上記ローラホルダーの他端部側に請求項１記載の圧延材のデスケーリングガイドを設けてあり、
上記デスケーリングガイドのガイド本体は、上記ローラホルダー側に位置している
ことを特徴とする圧延材のローラガイド装置。
【請求項５】
ガイドボックスに支持軸を中心として一対のローラホルダーを開閉可能に設けてあり、
一対のローラホルダーの一端部側にガイドローラを回転自在に設けてあり、
上記ローラホルダーの他端部側に請求項２記載の圧延材のデスケーリングガイドを設けてあり、
上記デスケーリングガイドのガイド本体は、上記ローラホルダー側に位置している
ことを特徴とする圧延材のローラガイド装置。
【請求項６】
対向するガイド本体とデスケーリング体との間に、互いに対向するデスケーリング体間にそれぞれスリットノズルの開口幅を調整するための調整板を配置してあることを特徴とする請求項５記載の圧延材のローラガイド装置。
【発明の詳細な説明】
【０００１】
【発明の属する技術分野】
この発明は、圧延材のローラガイド装置その他の案内装置に取付けて圧延材の案内とデスケーリングとを行うことができるデスケーリングガイド及びローラガイド装置に関する。
【０００２】
【従来の技術】
圧延材を熱間圧延する場合、熱間圧延中に発生するスケールは、圧延材に比べて硬いため圧延材にスケールが付いたまま圧延すると、圧延ロールに傷が付いたり、圧延材に転写されたり、圧延材にスケールが噛み込まれ表面品質に悪影響を与えるために、圧延前にスケールを除去することが必要となる。
そこで、従来スケールを除去する装置であるデスケーリング装置として、例えば特公平６−６１５７４号公報に示すように圧延材に加圧手段であるスケールブレーカにより曲げ力を加えてクラックを発生させてからブラシロールでスケールを除去するものや、特公平７−４５０５７号公報に示すようにノズルを数十個ならべて配置したり、またはストリップの上方にこれに直交する方向に直線状のスリットノズルを配置して、ストリップに高圧水を噴射してスケールを除去するものが知られている。
【０００３】
【発明が解決しようとする課題】
従来のデスケーリング装置は、複数の大型ブラシとその駆動装置、クラック生成用の加圧手段、高圧水を得るための大型の水ポンプユニット等の各種の大型の設備が必要となることから、初期設備投資や設備維持費用がかかり、圧延スタンド間の限られたスペースでは圧延材の案内装置の併用することが難しかった。  また高圧水を使用する従来のデスケーリング装置の場合には、高圧水を発生させるために多くの電力・動力と多量の水を必要とするために、ランニングコスト高になると共に、初期設備投資が大きいという問題もあった。そしてデスケーリング後の高圧かつ多量の水の処理問題があり、さらに水を大量に用いるために圧延材の温度が低下してしまうという問題もあった。
この発明の目的は、初期設備投資を押さえ、かつ設備のランニングコストを低くし、省スペースの実現を図りつつ、圧延材の温度の低下をさせずに十分にスケール除去を可能とすることにある。
【０００４】
【課題を解決するための手段】
この発明は、圧延ラインに用いられるローラーガイド装置等の案内装置の入口または出口のガイド部に当る位置にデスケーリングガイドが設置されるものであり、デスケーリングガイドの内部を通過する圧延材を案内すると共に、圧延材に対してスケールの除去水を噴射して３６０°全方位からの均一なデスケーリングを可能とするものである。
上記デスケーリングガイドは、ガイド本体と、このガイド本体とはガイド本体における上記圧延材の移動方向の一側端部に連設しているデスケーリング体と、このデスケーリング体とガイド本体とを分離可能に連結固定しているボルト等の連結固定手段と、連設しているガイド本体及びデスケーリング体の各軸心を貫通している圧延材のガイド孔とを具備しているものである。上記ガイド本体は、軸心に上記ガイド孔の一部を構成しているガイド孔部を設けている。上記デスケーリング体は、軸心部に設けている環状部と、この環状部の外側と外周部との間に環状部を囲むように設けている空間部と、上記外周部に設けている上記空間部内に除去水を供給するための除去水供給口とを備えている。上記環状部は、軸心に上記ガイド孔の一部を構成しているガイド孔部を設けている。上記空間部は、上記ガイド本体の一側端部との間で除去水供給室を形成している。上記環状部の一端部は、上記ガイド本体の一側端部との間で対向しかつこの対向端部間でスリットノズルを形成し、上記スリットノズルは、上記ガイド孔を挿通する上記圧延材を囲むように設けられているものである。
デスケーリングガイドにおけるデスケーリング体は単数又は複数設けるものであり、複数のデスケーリング体を配置する場合には、一側にガイド本体を他端側に各デスケーリング体を連設する。上記デスケーリング体のうち、互いに対向しているデスケーリング体は、一方のデスケーリング体の環状部の一端部が、他方のデスケーリング体の対向端部との間でスリットノズルを形成しており、上記ガイド本体とに対向しているデスケーリング体は、その環状部の一端部が、上記ガイド本体の対向端部との間でスリットノズルを形成し、各スリットノズルは、上記ガイド孔を挿通する上記圧延材を囲むように設けられている。上記ガイド本体の一側で対向する上記デスケーリング体の空間部は、上記ガイド本体の一側端部との間で除去水供給室を形成している。上記デスケーリング体の一側で対向する上記デスケーリング体の空間部は、上記デスケーリング体の一側端部との間で除去水供給室を形成している。
ガイド本体とデスケーリング体との隙間を、または相互に対向するデスケーリング体の隙間をスリットノズルとして用いる。ガイド本体とデスケーリング体との間に、または相互に対向するデスケーリング体間に調整板を介在させて、調整板の枚数の増減や厚さを変えることにより、スリットノズルの開口幅を調整することができる。スリットノズルの開口幅の調整は、例えばガイド本体とデスケーリング体との端部間を雌雄のねじで接合させ、または相互に対向するデスケーリング体の端部間を雌雄のねじで接合させ、デスケーリング体を回して対向間隙を調整することを通じて行うこともでき、調整手段は適宜である。
この発明のローラガイド装置は、ガイドボックスに支持軸を中心として一対のローラホルダーを開閉可能に設けてあり、一対のローラホルダーを一端部側にガイドローラを回転自在に設けてあり、上記ローラホルダーの他端部側のガイド部の位置に上記デスケーリングガイドを設け、ガイド本体をガイドローラ側に位置するものである。
【０００５】
【作用】
デスケーリングガイドのガイド孔を通過する圧延材は、ガイド孔によって案内されると共に、上記圧延材を囲むスリットルノズルから噴射水が圧延材に対して全方位から吹付けられてスケールが除去される。
デスケーリングガイドは、これを圧延材のローラガイド装置等の案内装置に取付けることができ、しかも既存の案内装置にも利用でき、必要に応じてデスケーリングガイドのみの交換でデスケーリング機能が付加できるから、初期設備投資を押さえかつ省スペースの実現が可能となる。
ローラガイド装置はデスケーリングガイドのスリットノズルと圧延材との距離を非常に近くすることができるから、噴射水が低圧でもデスケーリングに十分な衝突圧が得られ、安価なデスケーリングが可能となり、高圧水の付帯設備が不要で省スペース、簡単なメンテナンスによりランニングコストが押さえられる。  デスケーリング体の増設及び調整板の増減でスリットノズルの開口幅の調整をすることによって除去水の噴出量の調整を行い、所要のデスケーリング能力を容易に得ることができる。
【０００６】
【発明の実施の形態】
図１〜図３には、圧延材Ｍの案内装置としてローラガイド装置Ｂを、そしてこのローラガイド装置の入口側（図１右側）のガイド部に配置した圧延材のデスケーリングガイドＡが例示されている。
【０００７】
そこで、まず、デスケーリングガイドＡについて、主に、図１及び図４〜図１４を参照して説明する。
このデスケーリングガイドは、ガイド本体１と、このガイド本体における圧延材Ｍの移動方向の一側（図４では右側）端部に連設している単数又は複数のデスケーリング体（図１及び図４では２体のデスケーリング体２，３）と、デスケーリング体とガイド本体とを分離可能に連結固定する連結固定手段４とを具備し、軸心部に圧延材を案内するガイド孔５を貫通している。
【０００８】
図４〜図７に示すガイド本体１において、軸心にはガイド孔５の一部を構成しているガイド孔部１ａを貫通している。このガイド孔部は、その口径が後端側（図５右側）が広く、先端側が狭く形成されている。ガイド本体１は、後端側であるデスケーリング体３と対向する側がつば状の連結部１ｂとなっており、この連結部には連結固定手段として、例えばボルト４が挿通するボルト孔１ｂ１が複数開けられている。ガイド本体１の後端側に段部１ｃが形成されている。また図５及び図６に示す例では、ガイド本体１の後端面のガイド孔部１ａの開口端外周全周がガイド孔部の内方に向けてかつ後端側に傾いた傾斜面１ｄを形成している。
【０００９】
各デスケーリング体２，３は、いずれも実質的に同一構成であるので、一方のデスケーリング体２について説明し、他方３については概説する。
図８〜図１０に示す一方のデスケーリング体２において、これは、軸心部に設けている環状部２ａと、この環状部の外側と外周部との間に環状部を囲むように設けている空間部２ｂと、外周部に設けてあって空間部内に除去水を供給するための除去水供給口２ｃとを備えている。環状部２ａは、軸心にガイド孔５の一部であるガイド孔部２ａ１を設けている。環状部２ａの先端側（図８左側）のガイド孔部２ａ１の開口端にはガイド孔部の内方に向けてかつ後端側に傾いた傾斜面２ｄを形成している。除去水供給口２ｃは、図８及び図９に示すようにデスケーリング体２の外周面から空間部２ｂに達している。除去水供給口２ｃには除去水の供給手段である例えば供給パイプ６（図１）が接続される。またデスケーリング体２の外周側には、このデスケーリング体を軸心方向（図８左右方向）に貫通するボルト孔２ｅを軸心を中心として外周に沿って間隔を置いて複数（図９では４個）設けてある。除去水供給口２ｃは、図９に示すように円周方向に隣接するボルト孔２ｅ間に配置されている。
また図８及び図１１〜図１２に示す他方のデスケーリング体３において、一方のデスケーリング体２と相違する構成のみを説明すると、ガイド孔部３ａ１の口径は一端（先端）から他端（後端）までほぼ同径である。そしてデスケーリング体３の後端面のガイド孔部３ａ１の開口端外周全周がガイド孔部の内方に向けてかつ後端側に傾いた傾斜面３ｄを形成している。またデスケーリング体３の後端外周全周に嵌合部３ｆが形成されている。
３ａは環状部、３ｂは空間部、３ｃは除去水供給口、３ｄ１は傾斜面、３ｅはボルト孔を示すもので、これらはデスケーリング体２の環状部２ａ、空間部２ｂ、除去水供給口２ｃ、傾斜面２ｄ、ボルト孔２ｅにそれぞれ対応している。
ここで、両デスケーリング体２，３間の関係を図１、図４及び図８を参照して説明する。
デスケーリング体２の端部の外周部は、デスケーリング体３の外周部の嵌合部３ｆに嵌合状態に連設している。両デスケーリング体２，３の嵌合状態において、一方のデスケーリング体２の空間部２ｂは、他方のデスケーリング体３の一側端部（後端部）との間で除去水供給室７（図４）を形成している。また一方のデスケーリング体２の環状部２ａの一端部の傾斜面２ｄは、他方のデスケーリング体３の一側端部（後端部）の傾斜面３ｄと対向しかつ対向する傾斜面間でスリットノズル８を形成している。スリットノズル８は、ガイド孔部２ａ１，３ａ１を挿通する圧延材Ｍを囲む３６０°のリング状のノズルとなっている。スリットノズル８は除去水供給室７と連通している。このため、除去水供給室７では、入口が除去水供給口２ｃであり、出口がスリットノズル８となり、供給パイプ６からの除去水は除去水供給口から除去水供給室を経てスリットノズルに向けて送水される。デスケーリング体２，３間のボルト孔２ｅ，３ｅは互いに一直線上に連通して、１つの孔を形成している。
嵌合状態にあるデスケーリング体２，３間には、調整板であるシム１１を設けてある。このシムは、図８及び図１４に示すようにリング状に形成されており、ボルト孔２ｅと対応する位置にボルト孔１１ａを設けてある。またシム１１は嵌合部３ｆに配置され、スリットノズル８の開口幅を決定している。このため、シム１１の厚みを変更することにより、また図１６に示す例で後述するように枚数を増減させることにより、そのスリットノズルの開口幅調整が可能となる。
【００１０】
またガイド本体１とデスケーリング体２，３との関係を図１、図４及び図８を参照して説明する。
デスケーリング体３の先端部の外周部は、対向するガイド本体１の後端外周部の嵌合部１ｃに嵌合状態に連設している。両者の連設状態では、デスケーリング体３の空間部３ｂは、ガイド本体１の一側端部（後端部）との間で除去水供給室９（図４）を形成している。またデスケーリング体３の環状部３ａの他端部の傾斜面３ｄ１は、ガイド本体１の一側端部の傾斜面１ｄと対向しかつ対向する傾斜面間でスリットノズル１０を形成している。スリットノズル１０は、ガイド孔部１ａ１，３ａ１を挿通する圧延材Ｍを囲む３６０°のリング状のノズルとなっている。スリットノズル１０は除去水供給室９と連通している。このため、除去水供給室９では、入口が除去水供給口３ｃであり、出口がスリットノズル１０となり、供給パイプ６からの除去水は除去水供給口から除去水供給室を経てスリットノズルに向けて送水される。ガイド本体１とデスケーリング体３との間のボルト孔１ｂ１，３ｅは互いに一直線状に連通して、１つの孔を形成している。
嵌合状態にあるガイド本体１とデスケーリング体３との間には、調整板であるシム１２を設けてある。このシムは、上記シム１１と同一構成である。またシム１２は嵌合部１ｃに配置され、スリットノズル１０の開口幅を決定している。このため、シム１２の厚みを変更することにより、または枚数を増減させることにより、その幅調整が可能となる。
【００１１】
連結固定手段としては、図１及び図４の例では、ボルト４を使用しており、このボルトをボルト孔１ｂ１，２ｅ，３ｅを挿通し固定することにより、連設状態にあるガイド本体１及びデスケーリング体２，３を互いに分離可能に連結固定する。
【００１２】
次に、ローラガイド装置Ｂについて、主に図１〜図３を参照して説明する。  ガイドボックス１３にはこのガイドボックスに回動可能に立設した支持軸１４を中心として一対のローラホルダー１５を揺動可能に軸支してある。各ローラホルダー１５の先端部（図１の左側部）にガイドローラ（図１ではガイドローラ１６，１９）を設けてある。図１の例では、主ガイドローラ１６をローラピン１７に回転自在に、かつ面間調整可能に軸支し、支持軸１４の偏心軸部１８に副ガイドローラ１９を回転自在に、かつ面間調整可能に軸支してある。ローラホルダー１５の支持軸１４と、副ガイドローラ１９の支持軸を共用にしてある。主ガイドローラ１６の面間調整は、ローラホルダー１５の後部にねじ込んだ押ねじ２０をガイドボックス１３に当接させ、押ねじのねじ込み量の調整によって行う。副ガイドローラ１９の面間調整は、支持軸１４に螺設したねじ歯車２１に噛合し、互に逆ねじ関係にある軸一体のピニオン２２を回動することによって調整する構成である。
【００１３】
デスケーリングガイドＡとローラガイド装置Ｂとの関係を説明する。
図１〜図３に示すように、デスケーリングガイドＡは、圧延ライン上に配置されているローラガイド装置Ｂ内の入口又は出口（図示の例では入口）のガイド部に嵌合され、押しボルト２３、コッター（図示せず）等の固定手段で固定されている。デスケーリングガイドＡは、この固定手段の固定を解除することにより、ローラガイド装置Ｂから外すことができる。
【００１４】
つぎに、作用について説明する。
図１において、圧延材ＭがデスケーリングガイドＡのガイド孔５を通ってガイドローラ１６，１９を経て圧延機へ誘導案内される過程で、供給パイプ６から供給される除去水は除去水供給室７，９に供給され、やがてスリットノズル８，１０からガイド孔５内の圧延材Ｍに向けて噴射され、しかも除去水は圧延材Ｍに対して全方位向けて噴射されるため、圧延材表面に付着しているスケールが急冷されて亀裂が生じ、このスケールは除去水の噴射圧力により粉砕され剥離させられて圧延材表面から除去され、このためにスケールを除去した状態で圧延材が圧延機で圧延されることを可能にする。
この際、圧延材Ｍは、ガイドローラ１６，１９に誘導案内されるために、デスケーリングガイドＡのガイド孔５内を安定した状態で通過できるために、スリットノズル８，１０と圧延材との距離を短くでき、スリットノズルは近接した状態で圧延材のデスケーリングができるから、噴射水の圧力が高圧でなくても十分なデスケーリング能力が得られる。
図１に示すローラガイド装置Ｂによれば、スリットノズル８，１０と圧延材Ｍの距離が非常に近くすることができるため低圧で十分なデスケーリング能力（衝突圧）を持ち、大きな設備を使わずに既存のローラーガイド装置のガイド部の交換のみで容易に所要のデスケーリング機能を得ることができる。
【００１５】
デスケーリングガイドＡを交換する場合には、押しボルト２３を緩めてデスケーリングガイドをローラガイド装置Ｂの後端側から引出し、新たなデスケーリングガイドを挿入して、押しボルトを締付けて固定する。ローラガイド装置にデスケーリング機能が不要ならば、デスケーリングガイドＡを取出し、例えばエンリーガイドを挿入して押しボルト２３で固定するか、または取出すことなく除去水の供給を停止して、ガイドとして使用する。
【００１６】
図１５に示すデスケーリングガイドＡ１では、デスケーリング体３をもう一体増設し、スリットノズル１０を増やしている。すなわち、デスケーリングガイドＡ１では、デスケーリング体２とガイド本体１との間に２体のデスケーリング体３を介設してスリットノズル１０を設け、全体としてスリットノズルの数が図１の例に比較して増設された。デスケーリングガイドＡ１におけるその他の構成は、デスケーリングガイドＡのそれと実質的に同一であり、符号を一致させて対応関係を明らかにしている。
なお、ガイド本体１並びにデスケーリング体２及びデスケーリング体３を接続するための連結固定ボルト２４は、デスケーリングガイドＡの連結固定ボルト４に比較して増設分だけ長いものとなっている。
【００１７】
図１６に示すデスケーリングガイドＡ２は、図４に示すデスケーリングガイドＡからデスケーリング体３を外して、デスケーリングガイドＡをガイド本体１とデスケーリング体２のみで構成し、その結果スリットノズル１０が削除された。このため全体としてスリットノズルの数が図１の例に比較して減った。しかしながら、ガイド本体１とデスケーリング体２との間の調整板であるシム１１を適宜枚数増減（図面では２枚に増設）させて、スリットノズル８からの噴射圧力、換言すれば、デスケーリング能力を最適なものに調整する。デスケーリングガイドＡ２におけるその他の構成は、デスケーリングガイドＡのそれと実質的に同一であり、符号を一致させて対応関係を明らかにしている。
なお、ガイド本体１とデスケーリング体２との間を接続するための連結固定ボルト３４は、デスケーリングガイドＡの連結固定ボルト４に比較して短い。
【００１８】
図１、図１５又は図１６に示すデスケーリングガイドＡ，Ａ１，Ａ２において、デスケーリング体を増減させることなく、調整板１１，１２のみの数を増やしてスリットノズル８の開口幅を調整してもよい。また調整板を用いることなく、スリットノズルを形成するデスケーリング体間またはデスケーリング体とガイド体との対向端部それぞれの形状を変更することにより、スリットノズルの開口幅を調整してもよい。
【００１９】
また対向するデスケーリング体の嵌合部や対向するガイド本体とデスケーリング体の嵌合部を、雌雄のねじで相互にねじ接合させて、一方のデスケーリング体を回して、相互の間隙を広挟させて、スリットノズルの開口幅を調整するようにしてもよい。
このように、この発明では、デスケーリング体の数や調整板の数を増減させることが可能である。この増減によっても、スリットノズルの開口幅が調整され、したがって除去水の噴射量や噴射圧力が調整されるから、デスケーリング能力を目的に応じて調整することが可能となる。
【００２０】
スリットノズル８，１０は、図１では圧延材Ｍの進行方向（矢印方向）と反対方向に除去水を噴射するようにして、スケールの除去を効果的に行うようにしているが、スケールが除去できるものであれば、スリットノズルによる噴射方向は図示の例に限られない。
【００２１】
デスケーリングガイドＡ，Ａ１，Ａ２における連結固定手段４，２４，３４は、クランプ等を使用してもよく、図示するボルトに限定されない。
【００２２】
圧延材の案内装置は、ローラガイド装置に限られず、例えばフリクションガイド装置等であってもよい。ローラガイド装置は、図１では主ガイドローラ１６と副ガイドローラ１９を備えたものであったが、主ガイドローラのみであってもよく、図示のものに限られない。
【００２３】
【実施例】
図１に示すガイドローラ装置Ｂにおいて、ガイドローラは主ガイドローラ１６と副ガイドローラ１９とからなり、デスケーリングガイドＡのデスケーリング体として２体２，３を連設し、ガイド本体１とデスケーリング体２との間、デスケーリング体２，３間に挿置されるシム１１，１２のそれぞれを１枚として、スリットノズル８，１０をガイド孔５の全周に設けて圧延材Ｍに対して３６０°全方位からのデスケーリングを行うようにした。
この結果、圧延材Ｍとスリットノズル８，１０の距離をローラ噛込み時に５０ｍｍ以内として、従来例（１００〜１５０ｋｇ／ｃｍ2 ）と比べて１／１０程度（５〜２０ｋｇ／ｃｍ2 ）で所要のデスケーリング能力を得ることが可能となった。
【００２４】
【発明の効果】
この発明のデスケーリングガイドによれば、従来例のような多数のノズルを使用するものと比べ、低圧・低水量なことから、初期設備投資がかからず、圧延材の過剰な温度低下を防ぐことができ、そして案内装置に設けることによりこの案内装置全体の交換が不要となり、ガイドの交換のみで既存の案内装置にデスケーリング機能を容易に付加することが可能となる。
この発明のデスケーリングガイドによれば、デスケーリング体の増設及び調整板の増減でスリットノズルの開口幅の調整をすることによって除去水の噴出量の調整を行い、所要のデスケーリング能力を容易に得ることができる。
この発明のローラガイド装置によれば、ガイド部にデスケーリングガイドを設けることにより、スリットノズルと圧延材との距離を非常に近くすることができるから、噴射水が低圧でもデスケーリングに十分な衝突圧が得られ、従来例に比べ低圧でも十分なデスケーリングが可能となるため、安価なデスケーリングが可能となり、高圧水の付帯設備が不要で省スペース、簡単なメンテナンスによってランニングコストが押さえられる。
【図面の簡単な説明】
【図１】この発明に係るローラガイド装置の実施の形態を示す一部切欠断面図である。
【図２】この発明に係るローラガイド装置の実施の形態を示す平面図である。
【図３】この発明に係るローラガイド装置の実施の形態を示す正面図である。
【図４】この発明に係るデスケーリングガイドの実施の形態を示す一部切欠拡大断面図である。
【図５】図４に示すガイド本体の断面図である。
【図６】図５に示すガイド本体の側面図である。
【図７】図５Ａ−Ａ線断面図である。
【図８】双方のデスケーリング体及びシムの位置関係を示す拡大断面図である。
【図９】図８Ｂ−Ｂ線断面図である。
【図１０】図８Ｃ−Ｃ線断面図である。
【図１１】図８Ｄ−Ｄ線断面図である。
【図１２】図８Ｅ−Ｅ線断面図である。
【図１３】図８に示すデスケーリング体の側面図である。
【図１４】図８に示すシムの側面図である。
【図１５】この発明のデスケーリングガイドの他の実施の形態を示す一部切欠拡大断面図である。
【図１６】この発明に係るデスケーリングガイドのさらに他の実施の形態を示す一部切欠拡大断面図である。
【符号の説明】
Ａ      デスケーリングガイド
Ａ１    デスケーリングガイド
Ａ２    デスケーリングガイド
Ｂ      ローラガイド装置
Ｍ      圧延材
１      ガイド本体
１ａ    ガイド孔部
２      デスケーリング体
２ａ    環状部
２ａ１  ガイド孔部
２ｂ    空間部
２ｃ    除去水供給口
２ｄ    傾斜面
３      デスケーリング体
３ａ    環状部
３ａ１  ガイド孔部
３ｂ    空間部
３ｃ    除去水供給口
３ｄ    傾斜面
３ｄ１  傾斜面
４      ボルト（連結固定手段）
５      ガイド孔
６      供給パイプ（除去水供給手段）
７      除去水供給室
８      スリットノズル
９      除去水供給室
１０    スリットノズル
１１    シム（調整板）
１２    シム（調整板）
１３    ガイドボックス
１４    支持軸
１５    ローラホルダー
１６    主ガイドローラ（ガイドローラ）
１７    ローラピン
１９    副ガイドローラ（ガイドローラ）
２３    押しボルト（固定手段）
【図１】
0003643465.tif 000002
【図２】
0003643465.tif 000003
【図３】
0003643465.tif 000004
【図４】
0003643465.tif 000005
【図５】
0003643465.tif 000006
【図６】
0003643465.tif 000007
【図７】
0003643465.tif 000008
【図８】
0003643465.tif 000009
【図９】
0003643465.tif 000010
【図１０】
0003643465.tif 000011
【図１１】
0003643465.tif 000012
【図１２】
0003643465.tif 000013
【図１３】
0003643465.tif 000014
【図１４】
0003643465.tif 000015
【図１５】
0003643465.tif 000016
【図１６】
0003643465.tif 000017